(57)【要約】【課題】手を汚すことなく、害虫を確実に捕獲して駆除できるようにした害虫の捕獲駆除機を提供する。【解決手段】機器本体（１０）に捕獲容器（２０）を取外し可能に取付ける。捕獲容器には害虫吸引口（１２）を形成し、害虫吸引口には害虫の這い出しを阻止する遮蔽弁（２４）を設ける。機器本体のエアー吸込み口（２１）には遮蔽弁（２４）を設ける。機器本体のエアーの吸込みによって害虫吸引口から害虫を吸引して内部の捕獲空間（２８）内に捕獲する。捕獲容器には薬剤の注入口（２２）を形成し、捕獲した害虫に薬剤を直接噴射する。【選択図】　図１
2004057076.tif 000002
【特許請求の範囲】
【請求項１】
エアーの吸引力によって害虫を吸引して捕獲し、薬剤によって駆除できるようにした捕獲駆除機において、
エアー吸込み口が形成され、該エアー吸込み口には害虫の吸込みを阻止するフィルター部が設けられ、スイッチ操作によって内蔵ファンが回転して上記エアー吸込み口からエアーを吸込んで排気する機器本体と、
上記エアー吸込み口を覆って上記機器本体に取外し可能に取付けられ、害虫吸引口が形成され、該害虫吸引口には害虫の這い出しを阻止する遮蔽弁が設けられ、上記機器本体のエアーの吸込みによって上記害虫吸引口から害虫が吸引されて内部の捕獲空間内に捕獲される一方、捕獲した害虫に薬剤を直接噴射するための注入口が形成された捕獲容器と、
を備えたことを特徴とする害虫の捕獲駆除機。
【請求項２】
上記捕獲容器の害虫吸引口には吸引パイプが接続され、該吸引パイプの先端には害虫を上方から覆う捕獲キャップが設けられている請求項１記載の害虫の捕獲駆除機。
【請求項３】
上記機器本体には手持ちグリップが形成されている請求項１又は２記載の害虫の捕獲駆除機。
【請求項４】
上記薬剤の注入口は薬剤の充填されたスプレー缶のノズルチューブを差し込み得る孔が形成されている請求項１ないし３のいずれかに記載の害虫の捕獲駆除機。
【請求項５】
上記薬剤の注入口には該注入口を密閉する蓋が設けられている請求項１ないし４のいずれかに記載の害虫の捕獲駆除機。
【請求項６】
上記捕獲器の遮蔽弁はばね部材によって害虫吸引口を閉鎖する方向に付勢され、上記機器本体のエアーの吸引力によって付勢力に抗して開放されるようになした請求項１ないし５のいずれかに記載の害虫の捕獲駆除機。
【発明の詳細な説明】
【０００１】
【発明の属する技術分野】
この発明は害虫の捕獲駆除機に関し、特に手を汚すことなく害虫を確実に捕獲して駆除できるようにした駆除機に関する。
【０００２】
【従来の技術】
例えば、ゴキブリ、カメムシ、ムカデ等の害虫は自然界においては夏になって外気温が暖かくなると、その姿を頻繁に現すようになるが、最近は空気調和設備の普及に伴い、冬期においても室内にゴキブリがその姿を現すようになってきている。
【０００３】
かかる害虫はこれを手で駆除するには非常に抵抗感があり、特に女性は不潔に感じてその抵抗感が顕著である。
【０００４】
そこで、真空吸引掃除機を利用し、塵パック内に薬剤を塗布しあるいは吸引し、害虫を吸引して塵パック内に捕獲し、薬剤によって駆除する方法が種々提案されている（例えば、特開昭６２−４０２３７号公報、特開昭６２−４７３２８号公報、実開昭６１−１１０３６２号公報、実開昭６３−５０８０２号公報、等参照）。
【０００５】
【発明が解決しようとする課題】
しかし、真空吸引掃除機によって害虫を塵パック内に捕獲しても、塵パック内には塵や埃等が大量に吸い込まれているので、薬剤が効くまでの間に害虫が塵パックの吸込み口から吸込みパイプや吸込みホースを経て外部に這い出してくることがあった。
【０００６】
本発明はかかる問題点に鑑み、手を汚すことなく、害虫を確実に捕獲して駆除できるようにした害虫の捕獲駆除機を提供することを課題とする。
【０００７】
【課題を解決するための手段】
そこで、本発明に係る害虫の捕獲駆除機は、エアーの吸引力によって害虫を吸引して捕獲し、薬剤によって駆除できるようにした捕獲駆除機において、エアー吸込み口が形成され、該エアー吸込み口には害虫の吸込みを阻止するフィルター部が設けられ、スイッチ操作によって内蔵ファンが回転して上記エアー吸込み口からエアーを吸込んで排気する機器本体と、上記エアー吸込み口を覆って上記機器本体に取外し可能に取付けられ、害虫吸引口が形成され、該害虫吸引口には害虫の這い出しを阻止する遮蔽弁が設けられ、上記機器本体のエアーの吸込みによって上記害虫吸引口から害虫が吸引されて内部の捕獲空間内に捕獲される一方、捕獲した害虫に薬剤を直接噴射するための注入口が形成された捕獲容器と、を備えたことを特徴とする。
【０００８】
本発明の特徴の１つは機器本体のエアーの吸引力を利用して害虫を捕獲空間内に吸引して捕獲するようにした点にある。これにより、手を汚すことなく、従って女性が抵抗を感じることなく、ゴキブリ等の害虫を捕獲できる。
【０００９】
また、本発明の他の特徴は害虫の捕獲空間を捕獲した害虫が這い出すことのできない構造とするとともに、捕獲空間に薬剤を注入する注入口を設けるようにした点にある。これにより、捕獲空間内に塵や埃が吸引されていても、捕獲した害虫に殺虫剤等の薬剤を直接に噴射して確実に駆除できる。
【００１０】
害虫吸引口は捕獲容器に開口を穿設した形態でもよいが、ゴキブリは素早く逃げ回るので、離れた場所から害虫を確実に吸引できるようにするのが好ましい。
そこで、捕獲容器の害虫吸引口には吸引パイプを接続し、吸引パイプの先端には害虫を上方から覆う捕獲キャップを設けるのがよい。
【００１１】
捕獲キャップの形状は特に限定されないが、逃げ回る害虫を上方から確実に捕まえることができるようにし、四角函状や半球状を採用することができる。
【００１２】
捕獲キャップの材料は特に限定されないが、室内のフロアーや畳を傷めないように軟質の材料、例えばゴムや軟質合成樹脂材料を用いるのがよい。吸引パイプは一定の長さでもよいが、離れた場所から害虫を確実に吸引できるように、長さを調整できるように伸縮できる構造とするのがよい。
【００１３】
機器本体はファンを内蔵し、エアーを吸引できればどのような形状や構造でもよい。また、ファンの駆動電源は商用電源でもよいが、近くにコンセントがないと使用できないばかりでなく、電源コードを引き回す必要があって煩わしい。そこで、乾電池等のバッテリを内蔵するのがよい。
【００１４】
また、機器本体は簡単に携帯して操作し、害虫を確実に捕獲できるように、手持ちグリップを形成するのがよい。
【００１５】
薬剤は缶内に充填し、ノズルチューブの先端から噴射するスプレー缶方式のものを用いるのがよく、薬剤の注入口にはノズルチューブを差込み得る孔を形成するのがよい。この場合、注入口は小さいので、注入口を開放していても機器本体のエアーの吸引力を低下させるなどの悪影響が少ない。しかし、機器本体の本来のエアー吸引力を害虫の吸引に確実に利用する上で、薬剤の注入口には該注入口を密閉する蓋を設けるのがよい。
【００１６】
害虫吸引口の遮蔽弁は捕獲した害虫が害虫吸引口から這い出すのを阻止する上で重要であり、機器本体のエアーの吸引が停止した後すぐに害虫吸引口を遮蔽する必要がある。
【００１７】
例えば、捕獲器の遮蔽弁をばね部材によって害虫吸引口を閉鎖する方向に付勢し、機器本体のエアーの吸引力によって付勢力に抗して開放されるように構成すると、非常に簡単な構成によって害虫の這い出しを確実に阻止できる。
【００１８】
また、ばね部材に付勢力に代え、磁石の磁着力を利用して遮蔽弁を吸引し、機器本体のエアーの吸引力によって磁着力に抗して遮蔽弁が開放されるように構成することもできる。
【００１９】
さらに，電磁石の磁着力を利用して遮蔽弁を吸引し、スイッチ操作で電磁石への通電をＯＦＦし、機器本体のエアーの吸引力によって遮蔽弁が開放されるように構成することもできる。
【００２０】
【発明の実施の形態】
以下、本発明を図面に示す具体例に基づいて詳細に説明する。図１ないし図５は本発明に係る害虫の捕獲駆除機の好ましい実施形態を示す。本例の害虫捕獲駆除機は機器本体１０と捕獲容器２０とから構成されている。
【００２１】
機器本体１０は合成樹脂製のハウジング１１内にファン、電源及び通電回路を内蔵して構成され、ハウジング１１の前端面にはエアー吸込み口１２が形成される一方、ハウジング１１の両側面には複数段の排気口１４が形成され（但し、図には一方の側面の排気口のみが現れている。）、内蔵ファンの回転によってエアー吸込み口１２からエアーを吸い込み、排気口１４からハウジング１１の外方に排気されるようになっている。
【００２２】
エアー吸込み口１２にはハウジング１１内に害虫が吸い込まれるのを阻止するフィルター１３が設けられている。このフィルター１３にはネットが用いられているが、ネットに代えて織布や不織布を用いて構成してもよく、複数のバーを組合せた構造とすることもできる。
【００２３】
ハウジング１１の後半部分には手持ちグリップ１５が形成されて本例の捕獲駆除機を携帯できるようにしている。このグリップ１５にはファンの通電回路に設けられたスイッチ１６が設けられ、手持ちグリップ１５を握った手でスイッチ１６をＯＮ・ＯＦＦ操作できるようになっている。
【００２４】
ハウジング１１の前端面の周縁には段部が形成され、該段部の上端縁には係止突起１８が出没可能に設けられ、該係止突起１８はハウジング１１の前部上面に設けられたボタン１７を押込むことによって没入され、ボタン１７を離すことによって突出するようになっている。
【００２５】
また、ハウジング１１の段部の下端縁には係止突起（図示せず）が形成されている。
【００２６】
他方、捕獲容器２０は透明（又は半透明）の合成樹脂材料を用いて製造され、内部が捕獲空間２８となったほぼ四角形ボックス状をなし、後端面は開口され、開口の上内面及び下内面には機器本体１０の係止突起１８と嵌合する係止凹部２６、２７が形成されている。
【００２７】
この捕獲容器２０は後端開口縁が機器本体１０の前端段部に嵌め合わされ、その係止凹部２６、２７に機器本体１０の係止突起１８（図には下方の係止突起は現れていない。）が嵌合することによって捕獲容器２０は機器本体１０に取外し可能に取付けられている。
【００２８】
また、捕獲容器２０の前端面には吸引パイプ３０が燐通して接続され、吸引パイプ３０は大小の二本の合成樹脂製パイプ３１、３２によって伸縮自在に構成され、又吸引パイプ３０の後端は害虫吸引口２１となっている。
【００２９】
この害虫吸引口２１には遮蔽弁２４がヒンジ２５によって開閉自在に取付けられ、ヒンジ２５にはコイルばね（ばね部材）が縮装され、遮蔽弁２４はコイルばねによって害虫吸引口２１を遮蔽する方向に付勢されている。
【００３０】
また、捕獲容器２０には薬剤の注入口部（注入口）２２が設けられている。この注入口部２２には薬剤が充填されたスプレー缶５０のノズル５２を差し込み得る孔２２Ａが形成され、又注入口部２２には孔２２Ａを密閉する蓋２３が開閉可能に取付けられている。
【００３１】
吸引パイプ３０の先端側にはフレキシブルチューブ３３を介して捕獲キャップ４０が連通して接続されている。この捕獲キャップ４０は軟質ゴム製の半球状本体４１の周縁に軟質ウレタン製のリム４２を固着して構成されている。
【００３２】
例えば、床面を走り回るゴキブリ６０を駆除する場合、手持ちグリップ１５を片手で持ち、吸引パイプ３０を適切な長さに調整し、スイッチ１６をＯＮにする。すると、内蔵ファンが回転し、捕獲空間２８内のエアーをエアー吸込み口１２からハウジング１１内に吸い込み、遮蔽弁２４がコイルばねの付勢力に抗して開放され、捕獲空間２８内には吸引パイプ２０及び捕獲キャップ４０を経て外気のエアーが吸引される。
【００３３】
そこで、走り回るゴキブリ６０の上方から捕獲キャップ４０を被せるようにすると、ゴキブリ６０にエアーの吸引力が働き、ゴキブリ６０は吸引パイプ３０を経て捕獲空間２８内に吸引されて捕獲されると、スイッチ１６をＯＦＦとし、内蔵ファンを停止させる。
【００３４】
すると、遮蔽弁２４はコイルばねの付勢力によって害虫吸引口２１を遮蔽し、捕獲空間２８はゴキブリ６０が這い出すことのできない構造となるので、後は薬剤の注入口部２２の蓋２３を開放し、薬剤のスプレー缶５０のノズルチューブ５２を薬剤注入口２２の孔２２Ａに差し込み、ノズルボタン５１を押し込むと、薬剤が捕獲空間２８内に噴射されるが、ノズルチューブ５２をゴキブリ６０の方向に向けると、ゴキブリ６０に確実に薬剤を噴射し、駆除することができる。
【００３５】
後は、捕獲容器２０を機器本体１０から外し、駆除したゴキブリ６０をごみ箱等に廃棄すればよい。
【図面の簡単な説明】
【図１】本発明に係る害虫の捕獲駆除機の好ましい実施形態を示す概略斜視図である。
【図２】上記実施形態における機器本体を示す概略趣旨図である。
【図３】上記実施形態における捕獲容器を示す概略趣旨図である。
【図４】上記実施形態における薬剤注入口部の構造を示す図である。
【符号の説明】
１０　　　機器本体
１１　　　ハウジング
１２　　　エアー吸込み口
１３　　　フィルター
１５　　　手持ちグリップ
１６　　　スイッチ
２０　　　捕獲容器
２１　　　害虫吸引口
２２　　　薬剤注入口部
２２Ａ　　孔（薬剤注入口）
２３　　　蓋
２４　　　遮蔽弁
２５　　　コイルばね付きヒンジ
３０　　　吸引パイプ
４０　　　捕獲キャップ
５０　　　スプレー缶
５１　　　ノズルボタン
５２　　　ノズルチューブ
６０　　　ゴキブリ（害虫）
【図１】
2004057076.tif 000003
【図２】
2004057076.tif 000004
【図３】
2004057076.tif 000005
【図４】
2004057076.tif 000006